(57)【特許請求の範囲】
【請求項１】
円筒状のマストと、
一方の端部が前記マストに対して周方向に回転可能に取り付けられた棒状のブームと、
前記マストの外側を挿通可能なリング状のマストガイドと、
前記マストの下端に備わり、前記マストの外周側に連続して突出するマスト基台とを有し、
前記ブームは前記マストに対して旋回部材を介して取り付けられ、
前記マストは前記旋回部材の位置で切断され、上側のマストは、前記旋回部材とともに回転可能であり、
前記ブームの先端には吊上げワイヤーロープを介してフックが備わり、
当該吊上げワイヤーロープは、前記旋回部材の上側に備わるガイドローラを通って前記マスト内に通され、
前記マストの下側から前記吊上げワイヤーロープを操作することにより、前記フックが上下移動可能であり、
前記ブーム先端近傍には起伏ワイヤの一方の端部が取り付けられ、当該起伏ワイヤは前記マスト上端に備わる起伏ワイヤ用滑車を通り、前記起伏ワイヤの他方の端部は前記マストに対して周方向に回転可能に固定され、
前記ブームは、前記起伏ワイヤの長さ調節をすることにより、前記ブームの前記マストに対する固定端部を支点にして回動可能であり、
前記マストガイド及び前記マスト基台には、鉄塔の主材に固定するための固定ロープが連結され、
前記マスト基台には、前記鉄塔の主材に固定され、巻き上げ可能な揚重工具が連結され、
前記マストガイドは２個備わることを特徴とする鉄塔組立・解体用デリック。
【請求項２】
前記ブームは、段差部を有する２枚の板材を対称にして重ねて形成され、前記ブームの幅広側の端部である基端部で前記旋回部材を挟持して固定され、前記段差部と前記基端部との間は、前記ブームの固定位置と前記マストの上端との間の長さと略同一であることを特徴とする請求項１に記載の鉄塔組立・解体用デリック。
【請求項３】
鉄塔の頂部略中央に撤去用滑車を設置し、前記ブームを最大限上側に回動させ、当該撤去用滑車に前記吊上げワイヤーロープを通し、前記固定ロープ及び前記揚重工具が前記主材から取り外された状態で、前記吊上げワイヤーロープを前記マストの下側から繰り出し、前記マストを前記鉄塔の下方に降下させることを特徴とする請求項１又は２に記載の鉄塔組立・解体用デリックを用いた鉄塔組立・解体用デリックの撤去方法。
【発明の詳細な説明】
【技術分野】
【０００１】
この発明は、鉄塔の組立（解体）に用いるための鉄塔組立・解体用デリック及びその撤去方法に関するものである。
【背景技術】
【０００２】
鉄塔の組立・解体装置及び方法が特許文献１に開示されている。この装置は、台棒を鉄塔に取り付け、組立後に取り外し、順次台棒を鉄塔の上方に移動させていくものである。しかし、特許文献１の装置では、台棒の鉄塔に対する取り付けと取り外しが面倒であり、作業を迅速に行うことが困難である。
【０００３】
【特許文献１】特開２００５−６８８６４号公報
【発明の開示】
【発明が解決しようとする課題】
【０００４】
この発明は、上記従来技術を考慮したものであって、鉄塔の組立作業において、迅速な組立ができ、迅速な撤去を行うことができる鉄塔組立・解体用デリック及びその撤去方法の提供を目的とするものである。
【課題を解決するための手段】
【０００５】
前記目的を達成するため、請求項１の発明では、円筒状のマストと、一方の端部が前記マストに対して周方向に回転可能に取り付けられた棒状のブームと、前記マストの外側を挿通可能なリング状のマストガイドと、前記マストの下端に備わり、前記マストの外周側に連続して突出するマスト基台とを有し、前記ブームは前記マストに対して旋回部材を介して取り付けられ、前記マストは前記旋回部材の位置で切断され、上側のマストは、前記旋回部材とともに回転可能であり、前記ブームの先端には吊上げワイヤーロープを介してフックが備わり、当該吊上げワイヤーロープは、前記旋回部材の上側に備わるガイドローラを通って前記マスト内に通され、前記マストの下側から前記吊上げワイヤーロープを操作することにより、前記フックが上下移動可能であり、前記ブーム先端近傍には起伏ワイヤの一方の端部が取り付けられ、当該起伏ワイヤは前記マスト上端に備わる起伏ワイヤ用滑車を通り、前記起伏ワイヤの他方の端部は前記マストに対して周方向に回転可能に固定され、前記ブームは、前記起伏ワイヤの長さ調節をすることにより、前記ブームの前記マストに対する固定端部を支点にして回動可能であり、前記マストガイド及び前記マスト基台には、鉄塔の主材に固定するための固定ロープが連結され、前記マスト基台には、前記鉄塔の主材に固定され、巻き上げ可能な揚重工具が連結され、前記マストガイドは２個備わることを特徴とする鉄塔組立・解体用デリックを提供する。
【０００６】
また、請求項２の発明では、前記ブームは、段差部を有する２枚の板材を対称にして重ねて形成され、前記ブームの幅広側の端部である基端部で前記旋回部材を挟持して固定され、前記段差部と前記基端部との間は、前記ブームの固定位置と前記マストの上端との間の長さと略同一であることを特徴としている。
【０００７】
さらに、請求項３の発明では、鉄塔の頂部略中央に撤去用滑車を設置し、前記ブームを最大限上側に回動させ、当該撤去用滑車に前記吊上げワイヤーロープを通し、前記固定ロープ及び前記揚重工具が前記主材から取り外された状態で、前記吊上げワイヤーロープを前記マストの下側から繰り出し、前記マストを前記鉄塔の下方に降下させることを特徴とする請求項１又は２に記載の鉄塔組立・解体用デリックを用いた鉄塔組立・解体用デリックの撤去方法を提供する。
【発明の効果】
【０００８】
請求項１の発明によれば、固定ロープでマストガイド及びマスト基台を鉄塔の主材に固定できるので、マストを鉄塔内の空中でその軸がぶれることなく確実にこれを保持することができる。したがって、マスト上側のブームを操作して鉄塔を組み立てる際に、安全に作業することができる。ある程度鉄塔を組み立てた後、マストガイド又はマスト基台のうち、いずれかひとつの固定ロープを外してこれを上方に移動させ、これを順次行う過程において、マスト基台を上昇させたときに、マスト全体が上方に移動する。このとき、マストガイドが２個備わるため、マストは必ずマストガイドにより鉄塔に固定保持されるため、マストを安定して保持した状態で、マストを鉄塔上方に移動させることができる。また、マストガイドを上昇させるときも、マストは他方のマストガイド及びマスト基台で安定して鉄塔に保持される。
【０００９】
また、ブームのマストに対する固定端が、旋回部材を介してマストの周方向に対して回転可能に取り付けられる。また、マストは旋回部材の位置で切断され、上側のマストが旋回部材とともに回転する。さらに、吊上げワイヤーロープがガイドローラを通ってマスト内を通る。このガイドローラは、旋回部材よりも上側に備わるため、上側マストに設けられる。このため、ブームをマストの周方向に回転させても、吊上げワイヤーロープがねじれて引っかかることがなく、スムーズな回転動作をすることができる。また、吊上げワイヤーロープをマスト内に挿通するため、マストの下側から吊上げワイヤーロープを出し入れすることにより、ブーム先端のフックの昇降操作を行うことができる。したがって、吊上げワイヤーロープをマスト下側のウインチ等に接続してこれを行うことができ、作業が容易になり作業性が向上する。
【００１０】
また、起伏ワイヤの一方の端部がブームの先端近傍に取り付けられ、他方の端部がマストに回転可能に取り付けられる。このため、鉄塔組立の際に、ブームを回転させても、これに追従して起伏ワイヤの他方の端部が回転する。これにより、起伏ワイヤがマストに巻きつくことを防止し、効率よく迅速に鉄塔組立作業をすることができる。
【００１１】
請求項２の発明によれば、段差部と基端部との間が、マストに対するブームの固定位置とマストの上端との間の長さと略同一であるため、起伏ワイヤを操作してブームを起こしたときに、板材の間の幅広の空間内にマストを収めることができる。したがって、最大までブームを起伏させたときにブームとマストを略一直線上に形成することができ、デリック全体としての重心の位置を揃えることができる。したがって、この状態でデリック全体を吊ったときの安定性が向上し、取扱い性が向上する。
【００１２】
請求項３によれば、ブームを最大限上側に回動、すなわち最大起伏させた状態で、マストの鉄塔に対する固定を解除して、撤去用滑車に通された吊上げワイヤーロープをマストの下側から繰り出すことにより、マストが鉄塔内で下降する。したがって、鉄塔の下側からの操作が可能となり、簡易迅速な作業が実現できる。また、下降には吊り下げ用ワイヤを利用するため、撤去用のワイヤを別に用意することが不要となり、撤去のための部品点数が減少し、取扱い性が向上する。
【発明を実施するための最良の形態】
【００１３】
この発明は、鉄塔の組立作業において、迅速な組立ができ、迅速な撤去を行うことができる鉄塔組立・解体用デリック及びその撤去方法である。
【実施例】
【００１４】
図１はこの発明に係る鉄塔組立・解体用デリックの概略図である。
【００１５】
図示したように、この発明に係る鉄塔組立・解体用デリック１は、マスト２と、ブーム３と、マストガイド４，５と、マスト基台６で構成される。マスト２は、円筒形状であり、上端と下端は連通している。ブーム３は、棒状であり、一方の端部である基端部３ａにおいて、マスト２に取り付けられる。マストガイド４，５はリング状であり、マストを挿通して設けられる。マスト基台６は、マスト２の下端に備わり、マスト２の外周側に連続して突出して形成される。マスト基台６の外形は、マストガイド４，５と略同様の形状である。
【００１６】
ブーム３は、その基端部３ａにおいて、マスト２に対して旋回部材１４を介して周方向に回転可能に取り付けられる。マスト２は、この旋回部材１４の位置で上側マスト２ａ及び下側マスト２ｂに切断される。上側マスト２ａは、旋回部材１４に固定される。ブーム３を回転させるときは、ブーム３の先端から垂れ下がった操作ロープ１０を操作することにより行われる。ブーム３の回転とともに、旋回部材１４及び上側マスト２ａが回転する。
【００１７】
ブーム３の先端には、フック７が備わり、このフック７は、吊上げワイヤーロープ８でブーム３の先端から吊られている。吊上げワイヤーロープ８は、旋回部材１４の上側、すなわち上側マスト２ａに備わるガイドローラ９を通ってマスト２の内部に通される。マスト２に通された吊上げワイヤーロープ８は、マスト２の下端から露出する。この下端から露出した吊上げワイヤーロープ８を地上のウインチ等（図示省略）に接続することにより、吊上げワイヤーロープ８の巻き取りや繰り出しが可能である。吊上げワイヤーロープ８を巻き取れば、フック７が上昇し、吊上げワイヤーロープ８を繰り出せば、フック７が下降する。
【００１８】
以上により、ブーム３を操作ロープ１０によりマスト２の周方向に回転させた場合、旋回部材１４とともに上側マスト２ａ、さらにこれに設けられたガイドローラ９が回転するため、吊上げワイヤーロープ８がねじれて引っかかることがなく、ブーム３のスムーズな回転動作をすることができる。
【００１９】
ブーム３の先端近傍には、起伏ワイヤ１１の一方の端部が取り付けられる。この起伏ワイヤ１１は、マスト２の上端に備わる起伏ワイヤ用滑車１２を通る。起伏ワイヤ１１の他方の端部は、起伏ワイヤ支持クランプ１３に接続される。この起伏ワイヤ支持クランプ１３は、下側マスト２ｂの外周に設けられ、マスト２の周方向に回転可能に固定される。したがって、ブーム３の回転とともに、起伏ワイヤ１１もこれに追従してマストの周りを回転可能であり、起伏ワイヤ１１がマスト２に巻きつくことを防止し、効率よく迅速に鉄塔組立作業をすることができる。
【００２０】
起伏ワイヤ１１の前記他方の端部付近にはレバーブロック（手動式のワイヤーロープ巻取り装置）１５が取り付けられる。このレバーブロック１５を操作することにより、起伏ワイヤ１１の長さ調節が可能である。起伏ワイヤ１１を短くすると、ブーム３は基端部３ａを支点にして上側に回動する。起伏ワイヤ１１を長くすると、ブーム３は基端部３ａを支点にして下側に回動する。
【００２１】
マストガイド４,５及びマスト基台６は、それぞれ固定ロープ１６，１７，１８を介して鉄塔２０の主材１９に固定される。このように、マスト２の下端のマスト基台６を鉄塔に固定し、マスト２の中間部分をマストガイド４,５で支持しながら鉄塔に固定するので、マスト２は鉄塔２０内の空中でその軸がぶれることなく確実に保持される。したがって、ブーム３を操作して鉄塔２０を組み立てる際に、安全に作業することができる。２１はマスト基台６を上方に移動させるための揚重工具である。この揚重工具２１は、ウインチを備えている。
【００２２】
図２はブームの概略図である。
【００２３】
図示したように、ブーム３は、段差部２２を有する２枚の板材２３，２３を対称にして重ねて形成される。したがって、ブームの一方の端部は幅広に形成される。この幅広側の端部が基端部３ａとなる。ブーム３は、この基端部３ａで、マスト２を挟持して固定される。なお、図では旋回部材１４（図１参照）は省略している。前述した吊上げワイヤーロープ８は、このブーム３に沿って、ブーム３の先端のローラ２４を通り、フック７に接続される（図１参照）。ブーム３の先端近傍には、台座２５が備わり、ここに前述した起伏ワイヤ１１の一方の端部が接続される（図１参照）。
【００２４】
基端部３ａと段差部２２までの距離Ｌは、マスト２におけるブーム３の固定位置とマスト２の上端との距離と略同一である。これについては後述する。
【００２５】
図３は図１のＡ−Ａ端面図である。
【００２６】
（Ａ）に示すように、マストガイド４は、鉄塔を構成する４本の主材１９のそれぞれに対し、固定ロープ１６で固定される。固定ロープ１６の端部には、連結片２６を介して断面鉤型の弾性部材２７が取り付けられる。連結片２６には、固定ピン２９が挿通される。固定ピン２９は、主材１９の外面側に沿って取り付けられた固定部材３２の左右から突出した突出片２８に挿通されて固定される。固定部材３２は、この突出片２８と上下のフランジ３３を備える。
【００２７】
（Ｂ）に示すように、連結片２６は固定ピン２９を軸心にして回動可能である。連結片２６には、固定ロープ１６を取り付けるための取付孔３４が備わる。この取付孔３４は、固定ピン２９の軸心を含む水平面と、固定ロープ１６の軸心を含む水平面が同一平面とならない位置に形成される。すなわち、取付孔３４は、固定ピン２９の軸心を含む水平面とは別の位置に形成される（図では固定ピン２９より下側に形成されている）。これにより、固定ロープ１６を矢印Ｐ方向に引っ張って緊張させると、連結片２６が矢印Ｑ方向に回動する。したがって、弾性部材２７が主材１９の角部に確実に押圧され固定される。後述するように、マストガイド４を上昇（下降）させる場合は、固定ロープ１６の緊張を解き、連結片２６を回動させて弾性部材２７を主材１９から離す。この後、固定部材３２を主材１９に沿って上昇（下降）させる。この上下移動の際、マストガイド４に備わるガイドローラ３１（図では４個のガイドローラ３１）はマスト２に沿って回転する。なお、マストガイド４の主材１９に対する固定は、単に固定ロープ１６を主材１９に備わる昇降用のステップボルトにプレート等の部材を介して固定してもよい。マストガイド５、マスト基台６も同様の構成で主材１９に固定される。なお、図では、連結片２６の固定ピン２９を挿通する孔に、鞘管２６ａが設けられ、これにより固定ピン２９を連結片２６に通しやすくしている。
【００２８】
（Ｃ）は固定部材３２に連結片２６を取り付ける（取り外す）ときの説明図であり、図示したように、片方の突出片２８に固定ピン２９を挿通させ、同時に連結片２６にも挿通させる。この状態で、他方の突出片２８に固定ピン２９を挿通する。
【００２９】
図４及び図５はマストの上昇動作を順番に示した概略図である。
【００３０】
図１の状態から、鉄塔２０を組み立てていき、図４に示す高さまで、鉄塔２０が組み立てられたとする。このとき、まず、マストガイド４の主材１９に対する固定を解除し、上昇させる。この上昇時、マスト２はマストガイド５とマスト基台６で主材１９に安定して固定されている。この後、揚重工具２１の主材１９に対する固定位置を上昇させる（図４の状態）。このとき、４本の主材１９にそれぞれ固定されている揚重工具２１の、２個をまず上昇させ、その次に他の２個を上昇させる。
【００３１】
次に、マスト基台６の主材１９に対する固定を解除し、揚重工具２１により、マスト基台６を引き上げる。これと同時に、マスト２全体が上昇する（図５の状態）。この上昇時、マスト２はマストガイド４及び５で主材１９に安定して固定されている。以上により、マスト２は上昇し、さらに上方で鉄塔の組立が可能となる。マストガイド５を上昇させれば、図１と同様の状態となり、これを繰り返すことにより、さらにマスト２の上昇（せり上げ）が可能となる。なお、鉄塔の解体時は上記と逆の手順によりますと２を下降させながら行う。
【００３２】
図示したように、マストガイドは２個備わる（マストガイド４及び５）。したがって、マストガイド４又は５、又はマスト基台６の上昇時に、マスト２は必ずマストガイド４又は５、又はマスト基台６のうち、いずれか二つで主材１９（鉄塔２０）に固定保持される。このため、マスト２を安定して保持した状態で、マスト２の上昇動作を行うことができる。
【００３３】
図６〜図８は、この発明に係る鉄塔組立・解体用デリックの撤去方法を順番に示す概略図である。また、図９は図７の鉄塔頂部周辺の拡大概略図である。
【００３４】
図６に示すように、鉄塔２０を組み立て終えたら、起伏ワイヤ１１にてブーム３を引き上げ、最大まで起伏させる。このとき、図２で示したように、基端部３ａと段差部２２までの距離Ｌは、マスト２におけるブーム３の固定位置とマスト２の上端との距離と略同一であるため、ブーム３を引き上げたときに、この基端部３ａと段差部２２までの間の空間にマスト２が収まる。したがって、最大までブーム３を起伏させたときにブーム３とマスト２を略一直線上に形成することができ、デリック全体としての重心の位置を揃えることができる。これにより、後述するように、この状態でデリック全体を吊ったときの安定性が向上し、取扱い性が向上する。フック７は、起伏ワイヤ支持クランプ１３に固定した状態とする（図９参照）。
【００３５】
次に、図７に示すように、起伏させたブーム３の先端が鉄塔２０の頂部より若干下側の位置までマスト２を下降させる。この下降は、マスト基台６の鉄塔２０に対する固定を解除し、揚重工具２１により引き下げることにより行う。次に、鉄塔２０の頂部に撤去用の吊り下げ用滑車３０を設置する。この吊り下げ用滑車３０に、吊上げワイヤーロープ８を通す。
【００３６】
次に、図８に示すように、マストガイド４，５及びマスト基台６の固定ロープ１６，１７，１８をそれぞれ鉄塔２０から取り外し、連結片２６（図３参照）とともにマスト２に固定する。揚重工具２１も、鉄塔２０から取り外し、マスト２に固定する。これにより、マスト２はせり下げ用滑車３０のみで鉄塔２０の頂部から吊り下げられた状態となる。なお、マストガイド４,５をマスト２に沿って下降させ、マスト基台６に重ねた状態としてもよい。この後、マスト２を鉄塔２０内で下降させる。この下降は、地面から吊り下げ用ワイヤ８を繰り出すことにより行われる。このように、鉄塔２０の下側からのマスト２の下降操作が可能となるため、簡易迅速な作業が実現できる。また、マスト２の下降には吊上げワイヤーロープ８を利用するため、撤去用のワイヤを別に用意することが不要となり、撤去のための部品点数が減少し、取扱い性が向上する。マスト２を地面まで下降させたら、吊り下げ用滑車３０を鉄塔２０から取り外し、この発明に係る鉄塔組立・解体用デリックの撤去が完了する。
【００３７】
以上説明したように、この発明に係る鉄塔組立・解体用デリックで鉄塔を組立、さらに上記方法で撤去すれば、作業に関する部材が全て鉄塔内に収まった状態で作業することができる。したがって、狭隘地においての鉄塔の組立てあるいは解体を行うに際し、効率よく適用することが可能である。
【図面の簡単な説明】
【００３８】
【図１】この発明に係る鉄塔組立・解体用デリックの概略図である。
【図２】ブームの概略図である。
【図３】図１のＡ−Ａ端面図である。
【図４】マストの上昇動作を順番に示した概略図である。
【図５】マストの上昇動作を順番に示した概略図である。
【図６】この発明に係る鉄塔組立・解体用デリックの撤去方法を順番に示す概略図である。
【図７】この発明に係る鉄塔組立・解体用デリックの撤去方法を順番に示す概略図である。
【図８】この発明に係る鉄塔組立・解体用デリックの撤去方法を順番に示す概略図である。
【図９】図７の鉄塔頂部周辺の拡大概略図である。
【符号の説明】
【００３９】
１：鉄塔組立・解体用デリック、２：マスト、２ａ：上側マスト、２ｂ：下側マスト、３：ブーム、３ａ：基端部、４：マストガイド、５：マストガイド、６：マスト基台、７：フック、８：吊上げワイヤーロープ、９：ガイドローラ、１０：操作ロープ、１１：起伏ワイヤ、１２：起伏ワイヤ用滑車、１３：起伏ワイヤ支持クランプ、１４：旋回部材、１５：レバーブロック、１６：固定ロープ、１７：固定ロープ、１８：固定ロープ、１９：主材、２０：鉄塔、２１：揚重工具、２２：段差部、２３：板材、２４：ローラ、２５：台座、２６：連結片、２６ａ：鞘管、２７：弾性部材、２８：突出片、２９：固定ピン、３０：吊り下げ用滑車、３１：ガイドローラ、３２：固定部材、３３：フランジ、３４：取付孔
【図１】
0005026936.tif 000002
【図２】
0005026936.tif 000003
【図３】
0005026936.tif 000004
【図４】
0005026936.tif 000005
【図５】
0005026936.tif 000006
【図６】
0005026936.tif 000007
【図７】
0005026936.tif 000008
【図８】
0005026936.tif 000009
【図９】
0005026936.tif 000010